(57)【要約】  本明細書はディスプレイユニットの製造方法および光学フィルムラミネートシステムを提供する。
2017534073.tif 000002
【特許請求の範囲】
【請求項１】
パネルの一面に光源側の偏光板が備えられたパネルユニットを準備するステップ、および
光学フィルムが巻かれたロールから前記光学フィルムを前記光源側の偏光板上に供給して前記光源側の偏光板上に前記光学フィルムを付着するステップを含むディスプレイユニットの製造方法。
【請求項２】
前記光学フィルムは、輝度向上フィルム、集光シートおよび拡散フィルムのうち少なくとも１つを含む、請求項１に記載のディスプレイユニットの製造方法。
【請求項３】
前記光学フィルムを付着するステップは、輝度向上フィルムが巻かれたロールから前記輝度向上フィルムを前記光源側の偏光板上に供給して光源側の偏光板上に輝度向上フィルムを、前記光源側の偏光板の透過軸と前記輝度向上フィルムの透過軸が平行となるように、付着するステップを含む、請求項１に記載のディスプレイユニットの製造方法。
【請求項４】
前記光学フィルムを付着するステップは、２以上の光学フィルムを前記光源側の偏光板上に順次付着するステップを含む、請求項１に記載のディスプレイユニットの製造方法。
【請求項５】
前記光学フィルムを付着するステップは、輝度向上フィルムが巻かれたロールから輝度向上フィルムを前記光源側の偏光板上に供給して前記光源側の偏光板上に輝度向上フィルムを、前記光源側の偏光板の透過軸と輝度向上フィルムの透過軸が平行となるように、付着するステップ、および集光シートが巻かれたロールから前記集光シートを前記輝度向上フィルム上に供給して前記輝度向上フィルム上に前記集光シートを付着するステップを含む、請求項１に記載のディスプレイユニットの製造方法。
【請求項６】
前記光源側の偏光板が備えられたパネルユニットを準備するステップの前に、前記光学フィルムを付着するステップの前に、または前記光学フィルムを付着するステップの後に、前記パネルの光源側の偏光板が備えられた面の反対面に画面部側の偏光板を、前記光源側の偏光板の透過軸と前記画面部側の偏光板の透過軸が垂直となるように、付着するステップをさらに含む、請求項１に記載のディスプレイユニットの製造方法。
【請求項７】
前記光学フィルムを付着するステップの後に、前記光学フィルム上に光源を備えるステップをさらに含む、請求項１に記載のディスプレイユニットの製造方法。
【請求項８】
前記パネルユニットを準備するステップは、前記パネルの一面に板状偏光板を付着するか、偏光板が巻かれたロールから偏光板を前記パネルの一面に供給して前記パネルの一面に偏光板を付着するステップを含む、請求項１に記載のディスプレイユニットの製造方法。
【請求項９】
前記パネルユニットを準備するステップは、
前記パネルをいずれか一方向に移送して供給するステップ、および
前記光源側の偏光板が巻かれたロールから前記パネル上に前記光源側の偏光板を供給して前記パネルの一面に前記光源側の偏光板を付着するステップを含む、請求項１に記載のディスプレイユニットの製造方法。
【請求項１０】
前記ディスプレイユニットの製造方法は、
前記パネルをいずれか一方向に移送して供給するステップ、
前記光源側の偏光板が巻かれたロールから前記光源側の偏光板を供給して前記パネルの一面に前記光源側の偏光板を付着するステップ、および
画面部側の偏光板が巻かれたロールから前記画面部側の偏光板を供給して前記パネルの他面に前記画面部側の偏光板を、前記光源側の偏光板の透過軸と前記画面部側の偏光板の透過軸が垂直となるように、付着するステップを含む、請求項１に記載のディスプレイユニットの製造方法。
【請求項１１】
前記光学フィルムを付着するステップは、輝度向上フィルムが巻かれたロールから前記輝度向上フィルムを前記光源側の偏光板上に供給して前記光源側の偏光板上に前記輝度向上フィルムを、前記光源側の偏光板の透過軸と前記輝度向上フィルムの透過軸が平行となるように、付着するステップを含む、請求項１０に記載のディスプレイユニットの製造方法。
【請求項１２】
前記光学フィルムの厚さは１μｍ以上７００μｍ以下である、請求項１に記載のディスプレイユニットの製造方法。
【請求項１３】
パネルをいずれか一方向に移送させるパネル移送ユニット、
前記パネルの一面に光源側の偏光板を形成する光源側の偏光板の形成ユニット、
前記パネルの他面に画面部側の偏光板を、前記光源側の偏光板の透過軸と前記画面部側の偏光板の透過軸が垂直となるように、形成する画面部側の偏光板の形成ユニット、および
前記光源側の偏光板上に光学フィルムを付着する光学フィルムの形成ユニットを含み、
前記光学フィルムの形成ユニットは、前記光学フィルムを供給する光学フィルム供給ロール、光学フィルムを切断するカット手段、および前記光源側の偏光板上に前記光学フィルムを加圧して付着する光学フィルム付着手段を含む光学フィルムラミネートシステム。
【請求項１４】
前記画面部側の偏光板の形成ユニットおよび光源側の偏光板の形成ユニットは、各々、板状偏光板を移送させる偏光板移送手段および板状偏光板をパネルに付着する偏光板付着手段を含む、請求項１３に記載の光学フィルムラミネートシステム。
【請求項１５】
前記画面部側の偏光板の形成ユニットは、前記画面部側の偏光板を供給する画面部側の偏光板供給ロール、前記画面部側の偏光板を切断するカット手段、および前記パネルの一面に画面部側の偏光板を加圧して付着する画面部側の偏光板付着手段を含み、
前記光源側の偏光板の形成ユニットは、前記光源側の偏光板を供給する光源側の偏光板供給ロール、前記光源側の偏光板を切断するカット手段、および前記パネルの他面に前記光源側の偏光板を加圧して付着する光源側の偏光板付着手段を含む、請求項１３に記載の光学フィルムラミネートシステム。
【請求項１６】
前記光源側の偏光板の形成ユニットは、前記パネルの移送方向に平行であるかまたは垂直な方向に沿って前記光源側の偏光板を供給する光源側の偏光板供給ロール、前記光源側の偏光板を切断するカット手段、および前記パネルの一面に前記光源側の偏光板を付着する光源側の偏光板付着手段を含み、
前記画面部側の偏光板の形成ユニットは、前記画面部側の偏光板を供給する画面部側の偏光板供給ロール、前記画面部側の偏光板を切断するカット手段、および前記光源側の偏光板の透過軸と前記画面部側の偏光板の透過軸が垂直となるように、パネルの他面に画面部側の偏光板を付着する画面部側の偏光板付着手段を含む、請求項１３に記載の光学フィルムラミネートシステム。
【請求項１７】
前記光源側の偏光板の形成ユニットは光源側の偏光板の供給方向を前記パネルの一面と対面するように転換させる方向転換ロールをさらに含み、前記画面部側の偏光板の形成ユニットは前記画面部側の偏光板の供給方向をパネルの他面と対面するように転換させる方向転換ロールをさらに含む、請求項１３に記載の光学フィルムラミネートシステム。
【請求項１８】
前記画面部側の偏光板の形成ユニットは前記画面部側の偏光板供給ロールと前記画面部側の偏光板付着手段との間に位置して前記画面部側の偏光板に付着された離型紙を分離させる離型紙リムーバーをさらに含み、
前記光源側の偏光板の形成ユニットは前記光源側の偏光板供給ロールと前記光源側の偏光板付着手段との間に位置して前記光源側の偏光板に付着された離型紙を分離させる離型紙リムーバーをさらに含む、請求項１５または１６に記載の光学フィルムラミネートシステム。
【発明の詳細な説明】
【技術分野】
【０００１】
本発明は２０１５年４月３０日に韓国特許庁に提出された韓国特許出願第１０−２０１５−００６２０６１号および２０１６年４月２８日に韓国特許庁に提出された韓国特許出願第１０−２０１６−００５２２２８号の出願日の利益を主張し、その内容の全ては本明細書に含まれる。
本明細書はディスプレイユニットの製造方法および光学フィルムラミネートシステムに関する。
【背景技術】
【０００２】
最近、知識情報（ＩＴ）産業の目覚ましい発展と共に、前記ＩＴ産業の核心部品のうちの１つであるＬＣＤ（ｌｉｑｕｉｄ  ｃｒｙｓｔａｌ  ｄｉｓｐｌａｙ）産業も現代の産業社会が高度の情報化時代に発展するに伴って様々な情報を伝達するための媒体として共に発展している。
【０００３】
偏光板はＬＣＤや有機ＥＬのようなフラットディスプレイの重要な部品のうちの１つである。具体的には、液晶ディスプレイパネルは液晶セルの両面に偏光フィルムが接合された構成を有する。図１にはこのような偏光板の一般的な形態が模式的に示されている。図１を参照すれば、偏光板１は、中央の偏光膜６、および偏光膜６の両面に接着剤層４，５を介して付着された保護フィルム２，３を含む。前記保護フィルム２，３は偏光膜６の上下側に配置されて偏光膜６の損傷を防止する機能をする。
【発明の概要】
【発明が解決しようとする課題】
【０００４】
本明細書はディスプレイユニットの製造方法および光学フィルムラミネートシステムを提供しようとする。
【課題を解決するための手段】
【０００５】
本明細書は、パネルの一面に光源側の偏光板が備えられたパネルユニットを準備するステップ、および光学フィルムが巻かれたロールから前記光学フィルムを前記光源側の偏光板上に供給して前記光源側の偏光板上に前記光学フィルムを付着するステップを含むディスプレイユニットの製造方法を提供する。
【０００６】
また、本明細書は、パネルをいずれか一方向に移送させるパネル移送ユニット、前記パネルの一面に光源側の偏光板を形成する光源側の偏光板の形成ユニット、前記パネルの他面に画面部側の偏光板を、前記光源側の偏光板の透過軸と前記画面部側の偏光板の透過軸が垂直となるように、形成する画面部側の偏光板の形成ユニット、および前記光源側の偏光板上に光学フィルムを付着する光学フィルムの形成ユニットを含み、前記光学フィルムの形成ユニットは、前記光学フィルムを供給する光学フィルム供給ロール、光学フィルムを切断するカット手段、および前記光源側の偏光板上に前記光学フィルムを加圧して付着する光学フィルム付着手段を含む光学フィルムラミネートシステムを提供する。
【発明の効果】
【０００７】
本明細書の一実施状態のディスプレイユニットの製造方法は薄い光学フィルムをパネルに付着するのが容易であるという長所を有する。
本明細書の一実施状態のディスプレイユニットの製造方法により製造されたディスプレイユニットは光の損失が少なく、輝度が向上するという長所を有する。
【０００８】
本明細書の一実施状態のディスプレイユニットの製造方法は工程が単純で製造時間が減るという長所を有する。
本明細書の一実施状態のディスプレイユニットの製造方法は工程が単純であり、光学フィルムの生地の損失が減って製造費用が節減されるという長所を有する。
【図面の簡単な説明】
【０００９】
【図１】偏光板の断面構造を示すものである。
【図２】本明細書の一実施状態によるディスプレイユニットの分解斜視図を示すものである。
【図３】本明細書のまた他の実施状態によるディスプレイユニットの断面構造を示すものである。
【図４】偏光板と輝度向上フィルムをロールツーロールで付着する場合の工程を例示したものである。
【図５】本明細書の一実施状態による光学フィルムラミネートシステムを示す概念図である。
【図６】本明細書の第１実施状態による光学フィルムの形成ユニットの平面図である。
【図７】本明細書の第１実施状態による光学フィルムの形成ユニットの断面図である。
【図８】図７の断面図を９０°回転した方向から見た光学フィルムの形成ユニットの断面図である。
【図９】本明細書の第２実施状態による光学フィルムの形成ユニットの平面図である。
【図１０】本明細書の第２実施状態による光学フィルムの形成ユニットの断面図である。
【発明を実施するための形態】
【００１０】
以下、本明細書について詳細に説明する。
本明細書は、パネルの一面に光源側の偏光板が備えられたパネルユニットを準備するステップ、および光学フィルムが巻かれたロールから前記光学フィルムを前記光源側の偏光板上に供給して前記光源側の偏光板上に前記光学フィルムを付着するステップを含むディスプレイユニットの製造方法を提供する。
【００１１】
前記ディスプレイユニットの製造方法は、パネルの一面に光源側の偏光板が備えられたパネルユニットを準備するステップを含む。
前記光源側の偏光板が備えられたパネルユニットを準備するステップの前に、前記光学フィルムを付着するステップの前に、または前記光学フィルムを付着するステップの後に、前記パネルの光源側の偏光板が備えられた面の反対面に画面部側の偏光板を、前記光源側の偏光板の透過軸と前記画面部側の偏光板の透過軸が垂直となるように、付着するステップをさらに含むことができる。
【００１２】
前記ディスプレイユニットの製造方法は、パネルの一面に画面部側の偏光板が備えられ、前記パネルの他面に光源側の偏光板が備えられたパネルユニットを準備するステップを含むことができる。
【００１３】
前記パネルユニットを準備するステップは、前記パネルの一面に画面部側の偏光板を形成した後に前記パネルの他面に光源側の偏光板を形成するステップ、前記パネルの一面に光源側の偏光板を形成した後に前記パネルの他面に画面部側の偏光板を形成するステップ、または前記パネルの一面と他面に画面部側の偏光板と光源側の偏光板を同時に形成するステップを含むことができる。
【００１４】
前記パネルユニットを準備するステップは、前記パネルの一面に板状偏光板を付着するか、偏光板が巻かれたロールから偏光板を前記パネルの一面に供給して前記パネルの一面に偏光板を付着するステップを含むことができる。
【００１５】
前記パネルユニットを準備するステップは、パネルの両面に板状偏光板を付着するか、偏光板が巻かれたロールから偏光板をパネルの両面に各々供給してパネルの両面に偏光板を付着するステップを含むことができる。
【００１６】
前記パネルユニットを準備するステップは、偏光板が巻かれたロールから偏光板をパネルの一面に供給してパネルの一面に偏光板を付着するステップであってもよい。
【００１７】
前記パネルユニットを準備するステップは、偏光板が巻かれたロールから偏光板をパネルの両面に各々供給してパネルの両面に偏光板を付着するか、偏光板が巻かれたロールから偏光板をパネルの一面と他面に同時に供給してパネルの両面に偏光板を同時に付着するステップであってもよい。具体的には、前記パネルユニットを準備するステップは、偏光板が巻かれたロールから偏光板をパネルの両面に各々供給しつつまたは供給した後にパネルの両面に偏光板を付着するか、偏光板が巻かれたロールから偏光板をパネルの一面と他面に同時に供給しつつまたは供給した後にパネルの両面に偏光板を同時に付着するステップであってもよい。
【００１８】
前記パネルユニットを準備するステップは、前記パネルをいずれか一方向に移送して供給するステップ、および前記光源側の偏光板が巻かれたロールから前記パネル上に前記光源側の偏光板を供給して前記パネルの一面に前記光源側の偏光板を付着するステップを含むことができる。
【００１９】
前記パネルユニットを準備するステップは、パネルをいずれか一方向に移送して供給するステップ、光源側の偏光板が巻かれたロールから光源側の偏光板を供給しつつまたは供給した後に前記パネルの一面に光源側の偏光板を付着するステップ、および画面部側の偏光板が巻かれたロールから画面部側の偏光板を供給しつつまたは供給した後に前記パネルの他面に画面部側の偏光板を、前記光源側の偏光板の透過軸と前記画面部側の偏光板の透過軸が垂直となるように、付着するステップを含むことができる。必要に応じて、前記パネルの一面に画面部側の偏光板を付着するステップと前記パネルの他面に光源側の偏光板を付着するステップは同時に行われてもよい。
【００２０】
前記パネルユニットを準備するステップは、パネルをいずれか一方向に移送して供給するステップ、画面部側の偏光板が巻かれたロールから前記パネルの移送方向に平行であるかまたは垂直な方向に沿って偏光板を供給しつつまたは供給した後に前記パネルの一面に画面部側の偏光板を前記パネルの移送方向に平行な方向に加圧して付着するステップ、および光源側の偏光板が巻かれたロールから前記画面部側の偏光板の供給方向に垂直な方向に沿って偏光板を供給しつつまたは供給した後に前記パネルの他面に光源側の偏光板を前記パネルの移送方向に平行な方向に加圧して付着するステップを含むことができる。
【００２１】
ここで、ロールに巻かれた偏光板は機械方向（ＭＤ、Ｍａｃｈｉｎｅ  ｄｉｒｅｃｔｉｏｎ）に巻かれており、前記偏光板が機械方向に伸びるため、前記機械方向は偏光板の吸収軸方向を意味する。
【００２２】
本明細書の一実施状態によれば、前記パネルの一面に偏光板を供給する時、画面部側の偏光板が画面部側の偏光板が巻かれたロールからパネルの移送方向に平行な方向に沿って供給される場合、前記パネルの一面に付着された画面部側の偏光板は前記パネルの移送方向に平行な方向に吸収軸を有する。また、画面部側の偏光板の供給方向に垂直な方向に供給されてパネルの他面に付着された光源側の偏光板の吸収軸は画面部側の偏光板の吸収軸に垂直であり、光源側の偏光板の供給方向に垂直な方向に供給されて光源側の偏光板上に付着された輝度向上フィルムの透過軸は光源側の偏光板の吸収軸に垂直であってもよい。
【００２３】
本明細書のまた他の実施状態によれば、前記パネルの一面に偏光板を供給する時、画面部側の偏光板が画面部側の偏光板が巻かれたロールからパネルの移送方向に垂直な方向に沿って供給される場合、前記パネルの一面に付着された画面部側の偏光板は前記パネルの移送方向に垂直な方向に吸収軸を有する。また、画面部側の偏光板の供給方向に垂直な方向に供給されてパネルの他面に付着された光源側の偏光板の吸収軸は画面部側の偏光板の吸収軸に垂直であり、光源側の偏光板の供給方向に垂直な方向に供給されて光源側の偏光板上に付着された輝度向上フィルムの透過軸は光源側の偏光板の吸収軸に垂直であってもよい。
【００２４】
前記パネルの両面に付着された２個の偏光板の吸収軸は互いに垂直である。
前記光源側の偏光板の透過軸と光源側の偏光板上の輝度向上フィルムの透過軸は互いに平行である。
【００２５】
前記パネルユニットを準備するステップは、光源側の偏光板および画面部側の偏光板を各々パネルの大きさに合わせてカットするステップをさらに含むことができる。この時、光源側の偏光板および画面部側の偏光板の供給方向に沿って、パネルの移送方向に平行な長さまたはパネルの移送方向に垂直な長さに合わせて光源側の偏光板と画面部側の偏光板をカットすることができる。
【００２６】
前記光源側の偏光板および画面部側の偏光板がパネルと接触する面に備えられた離型紙を含む場合、前記パネルユニットを準備するステップは、光源側の偏光板および画面部側の偏光板を各々パネルの大きさに合わせてハーフカットするステップ、および光源側の偏光板および画面部側の偏光板の離型紙を除去するステップをさらに含むことができる。
【００２７】
前記ハーフカットは、離型紙はカットせず、離型紙を除いた偏光板をカットすることにより、偏光板がパネル上に連続的に付着されるようにすることができる。前記ハーフカットする方法は特に限定されず、当技術分野で用いられる方法を採用することができる。例えば、前記ハーフカットする方法はナイフ（Ｋｎｉｆｅ）を用いてカットしたり、レーザ（Ｌａｓｅｒ）を用いてハーフカットしたりすることができる。
【００２８】
前記パネルユニットを準備するステップは、偏光板が巻かれたロールからリリースされた偏光板がパネルの両面に供給される前に偏光板をハーフカットするステップ、偏光板の離型紙を除去するステップ、およびパネルの両面に各々供給してパネルの両面に偏光板を付着するステップを含むことができる。
【００２９】
前記パネルは、スペーサによって離隔した２つの基板および前記２つの基板の間に備えられた液晶を含む液晶パネルであってもよい。
【００３０】
前記液晶パネルは、スペーサによって離隔した２つの基板の互いに対向する面に備えられたカラーフィルタ、薄膜トランジスタなどをさらに含むことができる。具体的には、前記パネルはスペーサによって離隔した２つの基板の互いに対向する面のうちいずれか１つに備えられたカラーフィルタおよび残りに備えられた薄膜トランジスタを含むか、または、前記パネルはスペーサによって離隔した２つの基板の互いに対向する面のうちいずれか１つに備えられた薄膜トランジスタおよび前記薄膜トランジスタ上に備えられたカラーフィルタを含むことができる。
【００３１】
前記パネルがスペーサによって離隔した２つの基板の互いに対向する面のうちいずれか１つに備えられたカラーフィルタおよび残りに備えられた薄膜トランジスタを含む場合、カラーフィルタが備えられた基板の他面に画面部側の偏光板が備えられ、薄膜トランジスタが備えられた基板の他面に光源側の偏光板を備えることができる。
【００３２】
前記パネルはＬＥＤ（ｌｉｇｈｔ  ｅｍｉｔｔｉｎｇ  ｄｉｏｄｅ）パネルまたはＯＬＥＤ（ｏｒｇａｎｉｃ  ｌｉｇｈｔ  ｅｍｉｔｔｉｎｇ  ｄｉｏｄｅ）パネルであってもよい。
前記パネルの構造、材質および製造方法は特に限定されず、当技術分野で一般的に用いられる構造、材質および製造方法を採用することができる。
【００３３】
前記光源側の偏光板および画面部側の偏光板の厚さは特に限定されないが、前記光源側の偏光板および画面部側の偏光板の厚さは各々独立して３００μｍ以下であってもよく、偏光板の厚さが薄くなる傾向であるために特に限定されない。例えば、前記光源側の偏光板および画面部側の偏光板の厚さは各々独立して５０μｍ以上３００μｍ以下であってもよく、より好ましくは１００μｍ以上２５０μｍ以下であってもよい。
【００３４】
前記光源側の偏光板および画面部側の偏光板は、各々、偏光膜および前記偏光膜の両面に備えられた保護フィルムを含むことができる。
図１に示すように、前記光源側の偏光板および画面部側の偏光板は、各々、偏光膜６および前記偏光膜の両面に備えられた保護フィルム２，３を含むことができる。光源側の偏光板および画面部側の偏光板１は、各々、中央の偏光膜６および偏光膜６の両面に接着剤層４，５を介して付着され、減圧接着剤７によってパネルに偏光板１が付着される。
【００３５】
前記画面部側の偏光板の保護フィルム上には、必要に応じて、反射防止層、低反射コーティング層、ＵＶ吸収層、静電気防止コーティング層、アンチグレア（Ａｎｔｉｇｌａｒｅ）層、液晶コーティング層およびハードコーティング層のうち１以上の層をさらに備えることができる。
【００３６】
前記光源側の偏光板の保護フィルム上には、必要に応じて、反射防止層、低反射コーティング層、ＵＶ吸収層、静電気防止コーティング層、アンチグレア（Ａｎｔｉｇｌａｒｅ）層、液晶コーティング層およびハードコーティング層のうち１以上の層をさらに備えることができる。
【００３７】
前記光源側および画面部側の偏光板の構造、材質および製造方法は特に限定されず、当技術分野で一般的に用いられる構造、材質および製造方法を採用することができる。
【００３８】
前記ディスプレイユニットの製造方法は、光学フィルムが巻かれたロールから光学フィルムを前記光源側の偏光板上に供給して光源側の偏光板上に光学フィルムを付着するステップを含む。
【００３９】
前記ディスプレイユニットの製造方法は、光学フィルムが巻かれたロールから光学フィルムを前記光源側の偏光板上に供給しつつまたは供給した後に光源側の偏光板上に光学フィルムを付着するステップを含む。
【００４０】
前記光学フィルムは光源側の偏光板とバックライトユニットとの間に位置し、バックライトユニットから発生する光の効率性を高めたり機械的な物性を補完したりするためのフィルムであり、これを光源側の偏光板に付着して機能性層を形成する。前記光学フィルムの種類および積層構造は特に限定されず、例えば、光源側の偏光板とバックライトユニットとの間に１以上の輝度向上フィルム、１以上の集光シートおよび１以上の拡散フィルムのうち少なくとも１つ以上を備えることができる。
【００４１】
前記光学フィルムを付着するステップは、１以上の光学フィルムを光源側の偏光板上に付着するステップを含むことができる。具体的には、前記光学フィルムを付着するステップは、単層または多層の光学フィルムを偏光板上に付着するステップを含むことができる。
【００４２】
前記光学フィルムを付着するステップは、２以上の光学フィルムを光源側の偏光板上に順次付着するステップを含むことができる。
前記光学フィルムは、光源側の偏光板上に備えられた輝度向上フィルムを含むことができる。
【００４３】
前記光学フィルムは、光源側の偏光板上に備えられた輝度向上フィルムおよび前記輝度向上フィルム上に備えられた拡散フィルムを含むことができる。
前記光学フィルムは、光源側の偏光板上に備えられた輝度向上フィルムおよび前記輝度向上フィルム上に備えられた集光シートを含むことができる。
【００４４】
前記光学フィルムは、光源側の偏光板上に１以上の輝度向上フィルム、１以上の拡散フィルムおよび１以上の集光シートが順次備えられてもよく、交差して備えられてもよく、ランダムで備えられてもよい。例えば、前記光学フィルムは、光源側の偏光板上に輝度向上フィルム、拡散フィルム、２枚の集光シートおよび拡散フィルムを順次備えることができる。
【００４５】
図３に示すように、前記光学フィルム２００は、光源側の偏光板１３０上に輝度向上フィルム２１０、拡散フィルム２２０、２枚の集光シート２３０，２３５および拡散フィルム２２５を順次備えることができる。
【００４６】
前記光学フィルムを付着するステップは、輝度向上フィルムが巻かれたロールから輝度向上フィルムを前記光源側の偏光板上に供給して光源側の偏光板上に輝度向上フィルムを付着するステップを含むことができる。
【００４７】
前記光学フィルムを付着するステップは、輝度向上フィルムが巻かれたロールから輝度向上フィルムを前記光源側の偏光板上に供給して光源側の偏光板上に輝度向上フィルムを、前記光源側の偏光板の透過軸と前記輝度向上フィルムの透過軸が平行となるように、付着するステップ、および集光シートが巻かれたロールから集光シートを前記輝度向上フィルム上に供給して輝度向上フィルム上に集光シートを付着するステップを含むことができる。
【００４８】
前記光学フィルムを付着するステップは、輝度向上フィルムが巻かれたロールから輝度向上フィルムを前記光源側の偏光板上に供給して光源側の偏光板上に輝度向上フィルムを、前記光源側の偏光板の透過軸と前記輝度向上フィルムの透過軸が平行となるように、付着するステップ、および拡散フィルムが巻かれたロールから拡散フィルムを前記輝度向上フィルム上に供給して輝度向上フィルム上に拡散フィルムを付着するステップを含むことができる。
【００４９】
前記光学フィルムを付着するステップは、輝度向上フィルムが巻かれたロールから輝度向上フィルムを前記光源側の偏光板上に供給して光源側の偏光板上に輝度向上フィルムを、前記光源側の偏光板の透過軸と前記輝度向上フィルムの透過軸が平行するように、付着するステップ、拡散フィルムが巻かれたロールから拡散フィルムを前記輝度向上フィルム上に供給して輝度向上フィルム上に拡散フィルムを付着するステップ、および集光シートが巻かれたロールから集光シートを前記拡散フィルム上に供給して拡散フィルム上に集光シートを付着するステップを含むことができる。
【００５０】
前記光学フィルムを付着するステップは、光学フィルムが巻かれたロールから前記光源側の偏光板の供給方向に垂直な方向に沿って光学フィルムを前記光源側の偏光板上に供給して光源側の偏光板上に光学フィルムを付着するステップを含むことができる。
【００５１】
前記光学フィルムを付着するステップは、光学フィルムが巻かれたロールから前記光源側の偏光板の供給方向に垂直な方向に沿って光学フィルムを前記光源側の偏光板上に供給して光源側の偏光板上に光学フィルムを前記パネルの移送方向に平行な方向に加圧して付着するステップを含むことができる。
【００５２】
前記光学フィルムを付着するステップは、光学フィルムをパネルの大きさに合わせてカットするステップをさらに含むことができる。この時、光学フィルムの供給方向に沿ってパネルの移送方向に平行な長さまたはパネルの移送方向に垂直な長さに合わせて光学フィルムをカットすることができる。
【００５３】
前記光学フィルムが光源側の偏光板と接触する面に備えられた離型紙を含む場合、前記光学フィルムを付着するステップは、光学フィルムを各々パネルの大きさに合わせてハーフカットするステップ、および光学フィルムの離型紙を除去するステップをさらに含むことができる。この時、ハーフカットは、離型紙はカットせず、離型紙を除いた光学フィルムをカットすることにより、光学フィルムが光源側の偏光板上に連続的に付着するようにすることができる。
【００５４】
前記光学フィルムを付着するステップは、光学フィルムが巻かれたロールからリリースされた光学フィルムが光源側の偏光板上に供給される前に光学フィルムをハーフカットするステップ、光学フィルムの離型紙を除去するステップ、および光源側の偏光板上に供給して光学フィルムを付着するステップを含むことができる。
【００５５】
前記一度に付着される光学フィルムの厚さは１μｍ以上７００μｍ以下であってもよい。
前記一度に付着される単層の光学フィルムの厚さは１μｍ以上１５０μｍ以下であってもよい。
【００５６】
前記光学フィルムが単層の輝度向上フィルムである場合、前記輝度向上フィルムの厚さは１μｍ以上１５０μｍ以下であってもよい。具体的には、前記輝度向上フィルムの厚さは１μｍ以上７０μｍ以下であってもよい。
前記一度に付着される多層の光学フィルムの厚さは２０μｍ以上７００μｍ以下であってもよい。
【００５７】
前記多層の光学フィルムが輝度向上フィルムおよび前記輝度向上フィルム上に備えられた拡散フィルムである場合、前記多層の光学フィルムの厚さは２０μｍ以上７００μｍ以下であってもよい。具体的には、前記多層の光学フィルムの厚さは２０μｍ以上２００μｍ以下であってもよい。
【００５８】
前記パネルが液晶パネルである場合、前記光学フィルムを付着するステップ後に、前記光学フィルム上にバックライトユニットを備えるステップをさらに含むことができる。
【００５９】
前記バックライトユニットは液晶表示装置の光源に該当し、前記バックライトユニットの構造および材質は特に限定されないが、当技術分野で一般的に用いられる構造および材質を採用することができる。例えば、前記バックライトユニットは電球（Ｂｕｌｂ）、ＬＥＤ（Ｌｉｇｈｔ−Ｅｍｉｔｔｉｎｇ  Ｄｉｏｄｅ）またはＯＬＥＤ（Ｏｒｇａｎｉｃ−Ｌｉｇｈｔ  Ｅｍｉｔｔｉｎｇ  Ｄｉｏｄｅ）を光源として用い、光効率のために反射板およびライトガイドのうち少なくとも１つをさらに備えることができる。
【００６０】
本明細書は、パネルをいずれか一方向に移送させるパネル移送ユニット、前記パネルの一面に光源側の偏光板を形成する光源側の偏光板の形成ユニット、前記パネルの他面に画面部側の偏光板を、前記光源側の偏光板の透過軸と前記画面部側の偏光板の透過軸が垂直となるように、形成する画面部側の偏光板の形成ユニット、および光源側の偏光板上に光学フィルムを付着する光学フィルムの形成ユニットを含み、前記光学フィルムの形成ユニットは、光学フィルムを供給する光学フィルム供給ロール、光学フィルムを切断するカット手段、および光源側の偏光板上に光学フィルムを加圧して付着する光学フィルム付着手段を含む光学フィルムラミネートシステムを提供する。
【００６１】
図５に示すように、本明細書の一実施状態による光学フィルムラミネートシステムは、パネルを移送させるパネル移送ユニット１０、パネル１１０の一面に画面部側の偏光板１２０を形成する画面部側の偏光板の形成ユニット２０、パネルの他面に光源側の偏光板１３０を形成する光源側の偏光板の形成ユニット３０、および光源側の偏光板１３０上に光学フィルム２００を付着する光学フィルムの形成ユニット４０を含むことができる。
【００６２】
本明細書は、パネルを移送させるパネル移送ユニット、前記パネルの一面に光源側の偏光板を形成する光源側の偏光板の形成ユニット、前記パネルの他面に画面部側の偏光板を、前記光源側の偏光板の透過軸と前記画面部側の偏光板の透過軸が垂直となるように、形成する画面部側の偏光板の形成ユニット、および光源側の偏光板上に光学フィルムを付着する光学フィルムの形成ユニットを含み、前記光学フィルムの形成ユニットは、光学フィルムを供給する光学フィルム供給ロール、光学フィルムを切断するカット手段、および光源側の偏光板上に光学フィルムを加圧して付着する光学フィルム付着手段を含む光学フィルムラミネートシステムを提供する。
【００６３】
前記光学フィルムラミネートシステムは、上述したディスプレイユニットの製造方法に関する説明を引用することができる。
前記パネル移送ユニットはパネルを移送させるユニットであり、所定の大きさを有するパネルを支持し移送するコンベヤーベルトを含むか、複数のローラが回転し、所定の大きさを有するパネルを支持し移送する移送ローラを含むことができる。
【００６４】
パネルの移送方向に平行な長さをパネルの長さとして、パネルの移送方向に垂直な長さをパネルの幅として定義する時、前記パネル移送ユニットはパネルの幅と同一であるかまたは大きい幅を有することができる。
【００６５】
前記光源側の偏光板の形成ユニットは、板状偏光板を移送させる偏光板移送手段および板状偏光板をパネルに付着する偏光板付着手段を含むことができる。
【００６６】
前記光源側の偏光板の形成ユニットは、光源側の偏光板を供給する光源側の偏光板供給ロール、光源側の偏光板を切断するカット手段、およびパネルの一面に光源側の偏光板を付着する光源側の偏光板付着手段を含むことができる。
【００６７】
前記光源側の偏光板がパネルと接触する面に備えられた離型紙を含む場合、前記カット手段は、離型紙はカットせず、離型紙を除いた光源側の偏光板をカットするハーフカット手段であってもよい。
【００６８】
前記光源側の偏光板がパネルと接触する面に備えられた離型紙を含む場合、光源側の偏光板供給ロールと光源側の偏光板付着手段との間に位置して光源側の偏光板に付着された離型紙を分離させる離型紙リムーバーを含むことができる。
【００６９】
前記光源側の偏光板の形成ユニットは、前記パネルの移送方向に平行であるかまたは垂直な方向に沿って光源側の偏光板を供給する光源側の偏光板供給ロール、光源側の偏光板を切断するカット手段、およびパネルの一面に光源側の偏光板を前記パネルの移送方向に平行な方向に加圧して付着する光源側の偏光板付着手段を含むことができる。
【００７０】
前記光源側の偏光板の形成ユニットは、前記光源側の偏光板の供給方向をパネルの一面と対面するように転換させる方向転換ロールをさらに含むことができる。
【００７１】
前記光源側の偏光板付着手段は、ラミネートロール、外周面上に形成された吸着孔が備えられたラミネートドラムまたは外周面上に吸着パッドが備えられたラミネートドラムを含むことができる。
【００７２】
前記パネルの移送方向に垂直な方向に光源側の偏光板を供給する場合、前記光源側の偏光板付着手段は、外周面上に形成された吸着孔が備えられたラミネートドラムまたは外周面上に吸着パッドが備えられたラミネートドラムを含むことができる。
【００７３】
前記画面部側の偏光板の形成ユニットは、板状偏光板を移送させる偏光板移送手段および板状偏光板をパネルに付着する偏光板付着手段を含むことができる。
【００７４】
前記画面部側の偏光板の形成ユニットは、画面部側の偏光板を供給する画面部側の偏光板供給ロール、画面部側の偏光板を切断するカット手段、およびパネルの他面に画面部側の偏光板を付着する画面部側の偏光板付着手段を含むことができる。
【００７５】
前記画面部側の偏光板がパネルと接触する面に備えられた離型紙を含む場合、前記カット手段は、離型紙はカットせず、離型紙を除いた画面部側の偏光板をカットするハーフカット手段であってもよい。
【００７６】
前記画面部側の偏光板がパネルと接触する面に備えられた離型紙を含む場合、画面部側の偏光板供給ロールと画面部側の偏光板付着手段との間に位置して画面部側の偏光板に付着された離型紙を分離させる離型紙リムーバーを含むことができる。
【００７７】
前記画面部側の偏光板の形成ユニットは、画面部側の偏光板を供給する画面部側の偏光板供給ロール、画面部側の偏光板を切断するカット手段、および前記光源側の偏光板の透過軸と前記画面部側の偏光板の透過軸が垂直となるように、パネルの他面に画面部側の偏光板を前記パネルの移送方向に平行な方向に加圧して付着する画面部側の偏光板付着手段を含むことができる。
【００７８】
前記画面部側の偏光板の形成ユニットは、前記画面部側の偏光板の供給方向をパネルの他面と対面するように転換させる方向転換ロールをさらに含むことができる。
【００７９】
前記画面部側の偏光板付着手段は、ラミネートロール、外周面上に形成された吸着孔が備えられたラミネートドラムまたは外周面上に吸着パッドが備えられたラミネートドラムを含むことができる。
【００８０】
前記パネルの移送方向に垂直な方向に画面部側の偏光板を供給する場合、前記画面部側の偏光板付着手段は、外周面上に形成された吸着孔が備えられたラミネートドラムまたは外周面上に吸着パッドが備えられたラミネートドラムを含むことができる。
【００８１】
前記光学フィルムの形成ユニットは、光学フィルムを供給する光学フィルム供給ロール、光学フィルムを切断するカット手段、および光源側の偏光板上に光学フィルムを加圧して付着する光学フィルム付着手段を含むことができる。
【００８２】
光源側の偏光フィルムに付着する光学フィルムが２以上の複数である場合、前記光学フィルムの形成ユニットは光学フィルムの個数に応じて２以上の光学フィルムの形成ユニットを含むことができる。
【００８３】
前記光学フィルムが光源側の偏光板と接触する面に備えられた離型紙を含む場合、前記カット手段は、離型紙はカットせず、離型紙を除いた光学フィルムをカットするハーフカット手段であってもよい。
【００８４】
前記光学フィルムがパネルと接触する面に備えられた離型紙を含む場合、光学フィルム供給ロールと光学フィルム付着手段との間に位置して光学フィルムに付着された離型紙を分離させる離型紙リムーバーを含むことができる。
【００８５】
前記光学フィルムの形成ユニットは、光学フィルムを前記光源側の偏光板の供給方向に垂直な方向に沿って供給する光学フィルム供給ロール、光学フィルムを切断するカット手段、および光源側の偏光板上に光学フィルムを前記パネルの移送方向に平行な方向に加圧して付着する光学フィルム付着手段を含むことができる。
【００８６】
前記光源側の偏光板の透過軸がパネルユニット１００の進行方向に垂直な方向である場合、図６に示すように、前記パネルユニットの進行方向に垂直な方向に沿って光学フィルムを供給して光源側の偏光板上に光学フィルム２００を付着することができる。この時、光学フィルムに透過軸が存在する場合、図６に示されたＭ１の方向にあってもよい。
【００８７】
前記光源側の偏光板の透過軸がパネルユニット１００の進行方向に垂直な方向である場合、光学フィルム形成ユニットは、図７および８に示すように、前記パネルユニットの進行方向に垂直な方向に沿って光学フィルム２００を供給する光学フィルム供給ロール２１、光学フィルムを切断するカット手段２５、および光源側の偏光板上に光学フィルムを付着する光学フィルム付着手段であるラミネートドラム２３を含むことができる。前記光学フィルムの形成ユニットは、図７および８に示すように、光学フィルムの供給方向を光源側の偏光板の一面と対面するように転換させる方向転換ロール２２，２７をさらに含むことができる。また、前記光学フィルムの形成ユニットは、図７および８に示すように、離型紙が備えられた光学フィルムをハーフカットした後、離型紙が除去された光学フィルム２００’をラミネートドラム２３で光源側の偏光板上に光学フィルムを付着し、除去された離型紙Ｓは離型紙回収ロール２６によって回収される。
【００８８】
前記光源側の偏光板の透過軸がパネルユニット１００の進行方向に平行な方向である場合、図９に示すように、前記パネルユニットの進行方向に平行な方向に沿って光学フィルムを供給して光源側の偏光板上に光学フィルム２００を付着することができる。この時、光学フィルムに透過軸が存在する場合、図９に示されたＭ２の方向にあってもよい。
【００８９】
前記光源側の偏光板の透過軸がパネルユニット１００の進行方向に平行な方向である場合、光学フィルム形成ユニットは、図１０に示すように、前記パネルユニットの進行方向に平行な方向に沿って光学フィルム２００を供給する光学フィルム供給ロール３１、光学フィルムを切断するカット手段３６、および光源側の偏光板上に光学フィルムを付着する光学フィルム付着手段であるラミネートドラム３２を含むことができる。前記光学フィルムの形成ユニットは、図１０に示すように、光学フィルムの供給方向を光源側の偏光板の一面と対面するように転換させる方向転換ロール３３をさらに含むことができる。また、前記光学フィルムの形成ユニットは、図１０に示すように、離型紙が備えられた光学フィルムをハーフカットした後、離型紙が除去された光学フィルム２００’をラミネートドラム３２で光源側の偏光板上に光学フィルムを付着し、除去された離型紙Ｓは離型紙回収ロール３５によって回収される。
【００９０】
前記光学フィルムの形成ユニットは、前記光学フィルムの供給方向を光源側の偏光板の一面と対面するように転換させる方向転換ロールをさらに含むことができる。
【００９１】
前記光学フィルム付着手段は、ラミネートロール、外周面上に形成された吸着孔が備えられたラミネートドラムまたは外周面上に吸着パッドが備えられたラミネートドラムを含むことができる。
【００９２】
前記パネルの移送方向に垂直な方向に光学フィルムを供給する場合、前記光学フィルム付着手段は、外周面上に形成された吸着孔が備えられたラミネートドラムまたは外周面上に吸着パッドが備えられたラミネートドラムを含むことができる。
【００９３】
ロールを用いて一面に離型紙が付着された偏光板をパネルに供給して偏光板をパネルに対応するサイズにカットして偏光板に付着された離型紙を除去し、偏光板をパネルの一面上に付着した後、パネルの反対面にも同様な工程によって光学フィルムを付着する場合、パネルをひっくり返す工程が要求される。
【００９４】
また、パネルの反対面に付着される偏光板の吸収軸は一面に付着された偏光板の吸収軸に垂直となるように付着しなければならないため、パネルを回転させる工程も要求される。このような追加の工程を実行するためにはパネルまたは光学フィルムの回転のための装置の付加が要求され、このような装置の付加は工程ラインの長さを増加させる結果につながるので空間効率性が落ちるという問題点がある。
【００９５】
一方、本明細書のディスプレイユニットの製造方法は、パネルの両面に偏光板を付着する時、パネルをひっくり返したり回転させたりする工程が必要でないため、工程が単純で製造時間が減り、空間効率性が増加するという長所がある。
【００９６】
光源側の偏光板とバックライトユニットとの間には、バックライトユニットから発生する光を効率的に使用するために、集光シート、光拡散層、輝度向上層などの機能性層を備えることができる。
【００９７】
光源側の偏光板とバックライトユニットとの間に備えられた集光シート、光拡散層、輝度向上層などの機能性層は各々離隔して備えられており、空気と機能性層間の屈折率差による光の損失が発生する。
【００９８】
そのため、前記光源側の偏光板とバックライトユニットとの間に備えられた機能性層を光源側の偏光板上に付着することにより、空気との界面を減らして空気と機能性層間の屈折率差による光の損失を減らすことができる。
【００９９】
前記光源側の偏光板とバックライトユニットとの間に備えられた輝度向上フィルムを光源側の偏光板上に付着する場合、光源側の偏光板の吸収軸と光源側の偏光板とバックライトユニット間の輝度向上フィルムの透過軸とは互いに垂直となるように備えられなければならない。
【０１００】
図２に示すように、前記光源側の偏光板１３０とバックライトユニットとの間に備えられた輝度向上フィルム２１０を光源側の偏光板１３０上に付着する場合、光源側の偏光板の吸収軸Ｂと光源側の偏光板とバックライトユニット間の輝度向上フィルムの透過軸Ｃとは互いに垂直となるように備えられなければならない。
【０１０１】
光源側の偏光板の機械方向は吸収軸であり、輝度向上フィルムの機械方向は透過軸方向であるため、光源側の偏光板が巻かれたロールと輝度向上フィルムが巻かれたロールをロールツーロール工程により積層フィルムを製造するためには、偏光板をパネルの大きさに切った後、９０°回転させた複数の偏光板をテープで連結された複数の偏光板の吸収軸が互いに平行するように連結してロールに巻き、複数の偏光板の吸収軸が互いに平行するように連結されたロールと輝度向上フィルムが巻かれたロールをロールツーロール工程により積層フィルムを製造することができる。
【０１０２】
しかし、この場合、偏光板を切断し回転させてテープで連結する追加の工程が必要であるという短所がある。また、輝度向上フィルムが付着された二重フィルムを製造した後、複数の偏光板がテープで連結された連結部は除去しなければならないため、偏光板の生地が損失されるという短所がある。
【０１０３】
一方、本明細書のディスプレイユニットの製造方法は、パネル上に付着された光源側の偏光板上に輝度向上フィルムなどの光学機能性フィルムを付着する時、パネルをひっくり返したり回転させたりせず、偏光板および輝度向上フィルムの生地の損失を減らすことができる。
【０１０４】
光源側の偏光板と輝度向上フィルムを直接的に付着する場合、それぞれの透過軸が平行しなければならないが、光源側の偏光板と輝度向上フィルムとの間に位相差フィルムを追加する場合、光源側の偏光板を切断せずにロールツーロール工程により多重フィルムを製造することはできるが、位相差フィルムをさらに備えなければならないので製造費用が増加するという短所がある。
【０１０５】
一方、本明細書のディスプレイユニットの製造方法は、光源側の偏光板と輝度向上フィルムとの間に位相差フィルムをさらに備えなくても光源側の偏光板上に輝度向上フィルムを付着する工程が単純であり、光学フィルムの生地の損失が減って製造費用を節減させるという長所がある。
【符号の説明】
【０１０６】
１  ・・・偏光板
２、３  ・・・保護フィルム
４、５  ・・・接着剤層
６  ・・・偏光膜
７  ・・・減圧接着剤
１０  ・・・パネル移送ユニット
２０  ・・・画面部側の偏光板の形成ユニット
３０  ・・・光源側の偏光板の形成ユニット
４０  ・・・光学フィルムの形成ユニット
１００  ・・・パネルユニット
１１０  ・・・パネル
１２０  ・・・画面部側の偏光板
１２１  ・・・内部保護フィルム
１２２  ・・・偏光膜
１２３  ・・・外部保護フィルム
１３０  ・・・光源側の偏光板
１３１  ・・・内部保護フィルム
１３２  ・・・偏光膜
１３３  ・・・外部保護フィルム
２００  ・・・光学フィルム
２１０  ・・・輝度向上フィルム
２２０、２２５  ・・・拡散フィルム
２３０、２３５  ・・・集光シート
３００  ・・・バックライトユニット
３１０  ・・・光源
３２０  ・・・反射板
３３０  ・・・ライトガイド
Ａ  ・・・画面部側の偏光板の偏光膜の吸収軸方向
Ｂ  ・・・光源側の偏光板の偏光膜の吸収軸方向
Ｃ  ・・・光源側の偏光板上に備えられた輝度向上フィルムの透過軸方向
２１  ・・・光学フィルム供給ロール
２２、２７  ・・・方向転換ロール
２３  ・・・ラミネートドラム
２４  ・・・フィルムホルダー
２５  ・・・カット手段
２６  ・・・離型紙回収ロール
Ｓ  ・・・離型紙
３１  ・・・光学フィルム供給ロール
３２  ・・・ラミネートドラム
３３  ・・・方向転換ロール
３４  ・・・離型紙リムーバー
３５  ・・・離型紙回収ロール
３６  ・・・カット手段
ＴＦＴ  Ｐｏｌ  ・・・光源側の偏光板
ＰＯＬ  ・・・偏光板
ＤＢＥＦ  ・・・輝度向上フィルム
ＤＢＥＦ−Ｐ  ・・・光源側の偏光板が付着された輝度向上フィルム
【図１】
2017534073.tif 000003
【図２】
2017534073.tif 000004
【図３】
2017534073.tif 000005
【図４】
2017534073.tif 000006
【図５】
2017534073.tif 000007
【図６】
2017534073.tif 000008
【図７】
2017534073.tif 000009
【図８】
2017534073.tif 000010
【図９】
2017534073.tif 000011
【図１０】
2017534073.tif 000012
【国際調査報告】
2017534073.tif 000013
2017534073.tif 000014
2017534073.tif 000015
2017534073.tif 000016